(57)【要約】      （修正有）【課題】手術において、手術中に患者（男性）が無意識に排尿して手術台を汚さない様に、事前に尿道に尿道カテーテルを挿入する時、取外す時、或いは、取外した後、患者に劇痛と不快感を与えているが、この劇痛と不快感を患者に与えない排尿システムを提供する。【解決手段】排尿用の透明アクリル樹脂製の曲管１をペニスＰに密着性のよい防水接着テープで固定装着して、同曲管に排尿された尿は同曲管の排出側のピト―管形状の直管に接続されたゴムチューブ５を通して尿瓶に排尿される排尿システムである。このシステムは、尿道カテーテルを使用しないで、患者に劇痛と不快感を与えること無く、且つ、手術中に手術台に尿漏れが無いので手術が順調に支障なく行える。【選択図】図１
0003207130.tif 000002
【実用新案登録請求の範囲】
【請求項１】
排尿用透明アクリル製曲管（１）をペニス（Ｐ）に装着する前に、同装着をスムースに行える様にする為に尿の排出口として先端を切断したコンドームを先ずペニスに装着して接着テープ（７）で固定し、その後、同ペニスを同曲管に挿入した上で防水接着テープ（８）で同曲管と同ペニスを密着固定し、尿は同曲管の排出直管口に接続されているゴムチューブ（５）を通して尿瓶（６）に排尿される当該容器及び器具による手段と当該排尿システム。
【考案の詳細な説明】
【技術分野】
【０００１】本考案は、手術に於いて部分麻酔、或いは、全身麻酔中に手術台に寝ている状態で排尿を自由に行える排尿器と排尿システムを提供する。
【背景技術】
【０００２】手術に於いて、下部腹部麻酔、或いは、全身麻酔すると手術中に無意識に排尿が行われ手術台を尿で汚す心配がある。従って、事前に尿道に管（くだ）、即ち、尿道カテーテルを入れて排尿が自由に行われるようにしている。
【考案の概要】
【考案が解決しようとする課題】
【０００３】尿道には神経が走っているので、全身麻酔時は別として、同カテーテルの挿入時、或いは、引き抜き時に劇痛を男性患者に与えている。そして、同カテーテルの引き抜き後も排尿時、尿道が炎症を起こしている為に排尿時、二、三日間、痛みと不快感を患者に与えている。この痛みと不快感を患者に与えないで快適に手術が行われ、且つ、手術後も快適に排尿できることを課題とする。
【課題を解決するための手段】
【０００４】南洋の土人がペニスを約１０ｃｍ位の木の管に入れて、同管の一方の端に紐を付けて腰に結んで固定して居るのをテレビの映像で観たことがある。解決手段は、これにヒントを得たものであるが、市販されている尿瓶の様に“へ“の字の短い曲管で、全長は、約１３ｃｍのアクリル樹脂製の透明曲管（１）をペニス部に取り付けて同曲管に自然に排尿されることを手段とする。即ち、同曲管の片方よりペニス（Ｐ）を挿入して、もう片方より排尿する構造である。同曲管にペニスを挿入後、同曲管は接着テープでペニスに固定される。排尿側の同曲管の形状はティパー構造になっており、更に、その先端はピトー管形状になっている。同先端に排尿ゴムチューブ（５）が接続されて手術台の下に置かれた尿瓶（６）に同ゴムチューブを差し込んで排尿を同尿瓶に貯め込むシステムを手段とするものである。図１参照。【０００５】問題は、手術中に同曲管とペニスの接続部位から尿が逆流しても尿が漏洩しない方法と手段を講じることである。【０００６】ペニスの大きさ（長さ）の平均値は、日本人で通常時は約９ｃｍで、勃起時で約１３ｃｍと云われている。手術を行う時は勃起は無いものとして、通常時の外周は、約９．３１ｃｍとされている。外周は、２πＲ（半径）であるから、逆算すると平均直径は、約３ｃｍ．と云うことになる。そこで、当透明曲管の入り口径サイズ（Ｄ）は、Ｓサイズ２０ｍｍ．、Ｍサイズ３０ｍｍ．，Ｌサイズ  ３５ｍｍ．、ＬＬサイズ  ４０ｍｍ．の４サイズを設定する。参考までに、市販されている尿瓶の入り口サイズの径は、ペニスを入れ易くする為に余裕を取って、約５．５ｃｍである。【０００７】同曲管にペニス（Ｐ）を挿入した場合の接続部位からの尿漏れを防ぐ方法として次の手段を講じるものである。
（１）先ず、ペニス（Ｐ）の大きさに合わせたコンドーム（９）をペニスに装着する。装着する前に、同コンドームの先端を尿の排出口として輪切り状（直径約８ｍｍ．）に切断する。同コンドームをペニスに装着後、防水性の接着テープ（７）をペニスと同コンドームの接続部位の円周上に軽く巻き付けて張り付ける。一方、同コンドームを装着する前にペニス部位の陰毛はバリカン等で刈り取る必要がある。これは、事後、同接着テープを剥がす時に陰毛が同テープに絡んで、同テープと一緒に引き抜かれて患者に苦痛を与えない様にする為である。
（２）同接着テープ（７）の幅は、約２０ｍｍ．で接着面には透明フィルム（７ａ）が貼ってあり同フイルムを剥がしながらコンドームとペニスの接続部位の円周上に軽く巻き付けながら接着する。（図３）（Ａ）参照。
（３）同コンドームを装着するのは、同曲管（１）の中にペニスをスムースに装着させる為である。同曲管（１）とペニス（Ｐ）の接続部位に、更に、幅約４０ｍｍ．の接着テープ（８）で軽く円周上に巻き付け接着する。同接着テープは接着面に透明フイルム（８ａ）が貼られたもので接着時に同フイルムを剥がしながら同接続部位に巻き付け接着する。同接着テープは、例えば、外用薬として発売されているロキソニンテープ、或いは、パテルテープは肌、或いは、アクリル樹脂系への密着性が非常に優れているので、これ等と同等の特性を持っているものを採用する。  又、これ等は、何れも接着時に接着し易いように接着面に透明フイルムが貼られて居り、同フィルムを剥がしながら接着するものである。（図３）（Ｂ）参照。
上記（図３）（Ｂ）に図示されている通り、コンドームから出た尿は逆流しても接着テープ（８）でシ―ルされるので尿漏れは無い。【０００８】一方、同曲管（１）は尿の出口側に向かってテーパー状の形状になって居り、その先端はピト―管形状に細いパイプ状の直管になっている。同曲管の構造上の寸法は（図１）に示されている。
（図１）（Ａ）に示されている通り、同曲管は段差形状に高低差を付けている。即ち、同高低差の寸法（Ｈ）は、約８ｃｍ．で傾斜角度は、４０°である。同図に於ける、Ｌ寸法、Ｄ寸法、Ｈ寸法、Ｓ寸法、Ｗ寸法は、段落（００１０）に記されている。同曲管の出口管の直管の口径は、外径約８ｍｍ．内径約６ｍｍ．である。同直管はゴムチューブに接続されて、同ゴムチューブは手術台の下に置かれた尿瓶（６）に導かれる。即ち、手術中の患者の排尿は、同尿瓶（６）に排尿される。
手術終了後は、同図に於ける開閉コック（４）を”閉”としてゴムチューブを外してＩＣＵに患者を移動させて、再び、同ゴムチューブを同直管に接続して同コック（４）を”開”として尿瓶（６）に接続して、引き続き同尿瓶（６）に排尿するシステムである。
【考案の効果】
【０００９】上記の方法と手段により、手術中、或いは、手術後、患者の陰部に何等の痛み、或いは、不快感を与えることなく、爽快に手術を終えることができる。又、簡便に、又、短時間に同曲管（１）をペニス（Ｐ）に装着できるので緊急を要する手術に支障を来たすことは無い。
【図面の簡単な説明】
【００１０】
【図１】排尿用透明アクリル樹脂製ペニス挿入曲管の概略図  （Ａ）同曲管の側面図  （Ｂ）同曲管の平面図  ペニス挿入口の径（Ｄ寸法）は、４種類（４口径）  Ｓサイズ（径２０ｍｍ）、Ｍサイズ（３０ｍｍ）、Ｌサイズ（径３５ｍｍ）、ＬＬサイズ（４０ｍｍ）  同図に於けるＬ寸法、Ｈ寸法、Ｓ寸法、Ｗ寸法は４種類（４口径）とも同一寸法である。Ｌ寸法：約５ｃｍ．  Ｈ寸法：約８ｃｍ．  Ｓ寸法：約８ｍｍ．  Ｗ寸法：約８ｃｍ．
【図２】同曲管（１）とペニス部への取付イメージ図  （Ａ）同曲管が股間に取り付けられた時の平面イメージ図  （Ｂ）同じく取付け時の側面イメージ図  同直管にゴムチューブ（５）が接続され尿瓶（６）に排尿される。
【図３】同曲管（１）とペニス（Ｐ）の接続部位に貼る接着テープの詳細図  （Ａ）は、ペニス（Ｐ）とコンドームの接続部位に貼る接着テープ（７）の外形図と同テープの取付けイメージ図である。接着テープの幅は約２０ｍｍ．で、接着面はフィルムが貼られている。接続部位に貼る時にはフィルムを剥がしながら円周に巻き付けて張り付けた後、任意に挟みで切断する。（Ｂ）は、ペニス（Ｐ）と同曲管（１）の接続部位に貼る接着テープ（８）の外形図と同テープの取付けイメージ図である。接着テープの幅は約４０ｍｍ．で、同じく、接着面にはフィルムが貼られている。同曲管とペニスの接続部位に貼る時にはフィルムを剥がしながら円周上に巻き付けて張り付けた後、任意に挟みで切断する。
【符号の説明】
【００１１】  １    排尿用透明アクリル樹脂製曲管
２    ペニス挿入口、同曲管
３    排尿出口、同曲管
４    開閉コック、同曲管
５    ゴムチューブ
６    尿瓶
７    接着テープ、コンドーム（９）とペニス（Ｐ）の接着用
７ａ  フィルム、接着テープ
８    接着テープ、同曲管（１）とペニス（Ｐ）の接着用
８ａ  フィルム、接着テープ
９    コンドーム
Ｐ    ペニス
（注）記号Ｌ，Ｄ，Ｈ，Ｓ，Ｗ，は寸法記号を示す。
【図１】
0003207130.tif 000003
【図２】
0003207130.tif 000004
【図３】
0003207130.tif 000005
【手続補正書】
【提出日】平成28年8月4日(2016.8.4)
【手続補正１】
【補正対象書類名】実用新案登録請求の範囲
【補正対象項目名】全文
【補正方法】変更
【補正の内容】
【実用新案登録請求の範囲】
【請求項１】
排尿用透明アクリル製曲管（１）をペニス（Ｐ）に装着する前に、同装着をスムースに行える様にする為に尿の排出口として先端を切断したコンドームを先ずペニスに装着して接着テープ（７）を固定し、その後、同ペニスを同曲管に挿入した上で防水接着テープ（８）で同曲管と同ペニスを密着固定し、尿は同曲管の排出直管口に接続されているゴムチューブ（５）を通して尿瓶（６）に排尿される排尿システム。